(57)【要約】  例示的な補聴器は、補聴器を使用しない耳に較べて、可聴周波数域で、約３デシベル以下の挿入損失を生じるように構成されたレシーバを備えている。更に、例示的な補聴器は、レシーバを備え、ユーザの耳腔内に耳が開放された状態で位置する１以上のマイクロ−レシーバ；音声処理ユニットとレシーバの間に延伸した中間連結部であった、その少なくとも一部の上、および／またはレシーバ内または少なくともその一部の上に設けられた補強ワイヤを備えている中間連結部；補強ワイヤおよびレシーバの１つから延伸する保持ワイヤであって、耳の耳甲介の一部内に位置するように構成された保持ワイヤ；中間連結部内の、別の管路、または、相互に分離された管路内に設けられた２つのワイヤからなっている電気伝導性部品；および、第１端部および第２端部を有するケーシング内に少なくとも一部が閉じ込められているスピーカであって、前記第１の端部が前記中間連結部と連絡し、ケーシングの第２端部に設けられたポートに連絡しているスピーカを備えており、ケーシングは水密にシールされ、ポートは、膜またはメッシュ材によって、水密にシールされている。この発明の補聴器は、比較用装置に比べて、挿入効果および閉塞効果が減少している。
2006518152.tif 000002
【特許請求の範囲】
【請求項１】
ユーザの耳腔内に配置される、可聴周波数域で、約３デシベル以下の挿入損失を生じるレシーバを備えた補聴器。
【請求項２】
前記レシーバが、可聴周波数域で、約２デシベル以下の挿入損失を生じることを特徴とする、請求項１に記載の補聴器。
【請求項３】
前記レシーバが、可聴周波数域で、約１デシベル以下の挿入損失を生じることを特徴とする、請求項２に記載の補聴器。
【請求項４】
前記レシーバが、約２２００Hzから約５３００Hzの可聴周波数域で、約３デシベル以下の挿入損失を生じることを特徴とする、請求項１に記載の補聴器。
【請求項５】
前記レシーバが、約３０００Hzから約５０００Hzの可聴周波数域で、約３デシベル以下の挿入損失を生じることを特徴とする、請求項４に記載の補聴器。
【請求項６】
前記レシーバが、約３５００Hzから約４５００Hzの可聴周波数域で、約３デシベル以下の挿入損失を生じることを特徴とする、請求項５に記載の補聴器。
【請求項７】
前記レシーバが、ユーザの耳腔の軟骨領域内に配置されることを特徴とする、請求項１に記載の補聴器。
【請求項８】
前記レシーバの横方向の最大寸法が、ユーザの耳腔の横方向の最大寸法の半分以下であることを特徴とする、請求項１に記載の補聴器。
【請求項９】
前記レシーバの横方向の最大寸法が、ユーザの耳腔の横方向の最大寸法の３０％以下であることを特徴とする、請求項８に記載の補聴器。
【請求項１０】
前記レシーバの横方向の最大寸法が、ユーザの耳腔の横方向の最大寸法の２０％以下であることを特徴とする、請求項９に記載の補聴器。
【請求項１１】
前記レシーバの横方向の最大寸法が、ユーザの耳腔の横方向の最大寸法の１０％以下であることを特徴とする、請求項１０に記載の補聴器。
【請求項１２】
前記レシーバの横方向の最大寸法が、ユーザの耳腔の横方向の最大寸法の５％以下であることを特徴とする、請求項１１に記載の補聴器。
【請求項１３】
前記補聴器が、音声処理ユニット、および、前記音声処理ユニットと前記レシーバの間の中間連結部を更に備え、前記中間連結部は、前記中間連結部の少なくとも一部に設けられた電気伝導性部品、および、補強ワイヤを備えていることを特徴とする、請求項１に記載の補聴器。
【請求項１４】
前記補強ワイヤは金属または金属合金からなっていることを特徴とする、請求項１３に記載の補聴器。
【請求項１５】
前記金属または金属合金が、前記ワイヤがたわみ元の形状に戻る記憶を有していることを特徴とする、請求項１４に記載の補聴器。
【請求項１６】
前記電気伝導性部品は少なくとも一部が第１の管路内に配置され、前記補強ワイヤは前記第１の管路の外側に設けられていることを特徴とする、請求項１３に記載の補聴器。
【請求項１７】
前記補強ワイヤは第２の管路内に配置されることを特徴とする、請求項１６に記載の補聴器。
【請求項１８】
前記補強ワイヤは前記レシーバ内または少なくともその一部分上に延伸していることを特徴とする、請求項１３に記載の補聴器。
【請求項１９】
前記補聴器が、音声処理ユニット、および、中間連結部を更に備え、補強ワイヤが中間連結部およびレシーバの少なくとも１つから延伸し、そして、前記補強ワイヤがユーザの耳の耳甲介の少なくとも一部に係合する構成からなっていることを特徴とする、請求項１に記載の補聴器。
【請求項２０】
前記中間連結部は補強部材を備えており、そして、前記補強ワイヤは前記補強部材の一部から延伸していることを特徴とする、請求項１９に記載の補聴器。
【請求項２１】
前記補強ワイヤは、前記補聴器が耳腔内への最大挿入深さを有するように構成されていることを特徴とする、請求項１９または２０に記載の補聴器。
【請求項２２】
前記補強ワイヤは、耳腔内へ挿入されたときに、耳腔の如何なる部分にも実質的に接触しないように構成されていることを特徴とする、請求項１９または２０に記載の補聴器。
【請求項２３】
前記補聴器が、音声処理ユニット、および、その中に設けられた少なくとも２つの電気伝導性部品を備えた中間連結部を更に備えていることを特徴とする、請求項１に記載の補聴器。
【請求項２４】
少なくとも２つの前記電気伝導性部品は、相互に少なくとも一部が分離された少なくとも２つの管路内に設けられていることを特徴とする、請求項２３に記載の補聴器。
【請求項２５】
補強ワイヤが、前記中間連結部の少なくとも部分的に分離した管路内に設けられていることを特徴とする、請求項２４に記載の補聴器。
【請求項２６】
前記レシーバは、第１端部および第２端部を有するケーシング内に少なくとも一部が閉じ込められたスピーカを備えており、前記第１の端部が前記中間連結部と連絡し、前記スピーカがケーシングの第２端部に設けられたポートに連絡していることを特徴とする、請求項１に記載の補聴器。
【請求項２７】
前記ポートは、膜またはメッシュ材によって、少なくとも部分的に水密にシールされていることを特徴とする、請求項２６に記載の補聴器。
【請求項２８】
前記ケーシングは、第１端部、および、第１端部からポートまで延伸するケーシングの全長に沿って水密にシールされていることを特徴とする、請求項２７に記載の補聴器。
【請求項２９】
前記ポートは、取り外し可能な耳垢収集器を備えていることを特徴とする、請求項２６に記載の補聴器。
【請求項３０】
ユーザの耳腔の軟骨領域内に位置するように構成されたレシーバを備え、前記レシーバが、軟骨領域内に位置したときに挿入損失が最小であるような寸法であることを特徴とする補聴器。
【請求項３１】
前記レシーバが、約２２００Hzから約５３００Hzの可聴周波数域で、約３デシベル以下の挿入損失を生じることを特徴とする、請求項３０に記載の補聴器。
【請求項３２】
前記レシーバの横方向の最大寸法が、ユーザの耳腔の横方向の最大寸法の２０％以下であることを特徴とする、請求項３０に記載の補聴器。
【請求項３３】
前記補聴器が、音声処理ユニット、および、中間連結部を更に備え、補強ワイヤが中間連結部およびレシーバの少なくとも１つから延伸し、そして、前記補強ワイヤがユーザの耳の耳甲介の少なくとも一部に係合する構成からなっていることを特徴とする、請求項３０に記載の補聴器。
【請求項３４】
前記補聴器が、音声処理ユニット、および、前記音声処理ユニットと前記レシーバの間の中間連結部を更に備え、前記中間連結部は、前記中間連結部の少なくとも一部に設けられた電気伝導性部品、および、補強ワイヤを備えていることを特徴とする、請求項３０に記載の補聴器。
【請求項３５】
前記補聴器が、音声処理ユニット、および、その中に設けられた少なくとも２つの電気伝導性部品を備えた中間連結部を更に備えており、そして、少なくとも２つの前記電気伝導性部品は、相互に少なくとも一部が分離された少なくとも２つの管路内に設けられていることを特徴とする、請求項３０に記載の補聴器。
【請求項３６】
ユーザの耳腔内に位置するように構成されたレシーバを備え、前記レシーバの横方向の最大寸法が、ユーザの耳腔の横方向の最大寸法の３０％以下であることを特徴とする補聴器。
【請求項３７】
前記レシーバの横方向の最大寸法が、ユーザの耳腔の横方向の最大寸法の２０％以下であることを特徴とする、請求項３６に記載の補聴器。
【請求項３８】
前記レシーバの横方向の最大寸法が、ユーザの耳腔の横方向の最大寸法の１０％以下であることを特徴とする、請求項３６に記載の補聴器。
【請求項３９】
レシーバ、音声処理ユニット、および、中間連結部を備え、補強ワイヤが前記中間連結部および前記レシーバの少なくとも１つから延伸し、前記補強ワイヤがユーザの耳の耳甲介の少なくとも一部に係合するように構成されていることを特徴とする補聴器。
【請求項４０】
レシーバ、音声処理ユニット、および、中間連結部を備え、前記中間連結部は、前記中間連結部の少なくとも一部に設けられた電気伝導性部品、および、補強ワイヤを備えていることを特徴とする補聴器。
【請求項４１】
レシーバ、音声処理ユニット、および、中間連結部を備え、前記補聴器が、音声処理ユニット、および、その中に設けられた少なくとも２つの電気伝導性部品を備えた中間連結部を更に備えており、少なくとも２つの前記電気伝導性部品は、相互に少なくとも一部が分離された少なくとも２つの管路内に設けられていることを特徴とする補聴器。
【発明の詳細な説明】
【技術分野】
【０００１】
本発明は、補聴システムに関する。
【背景技術】
【０００２】
多岐にわたる各種の補聴ユニットが知られている。補聴レシーバの耳内への挿入によって、挿入損失が生じる。挿入損失は、患者の自然のまたは元々の耳甲介および耳腔反響特性が歪み、または、無くなってしまうことを表すものである。ここに記述する補聴器は、このような挿入損失を取り除き、または、著しく減じるものである。
【０００３】
ある補聴器においては、レシーバは、耳腔内に位置して、閉塞効果を生じる。多くの場合には、特注の器具のように補聴器が耳内に納まるか、または耳の後ろに配置するかにかかわらず、閉塞の問題が存在する。
【発明の開示】
【発明が解決しようとする課題】
【０００４】
これは、患者自身の声に対する不快感によって、その増幅が患者に拒絶されるということに関係している。即ち、閉塞効果は、患者の頭部が樽の底にある感情と感覚と結びつき、患者自身の声が耐えられないほど大きくなる。
特注の補聴器のイヤーモールド、または、シェルを耳腔内に嵌め込むと、患者の声が、約２０〜３０デシベルの間で低周波増幅される。これは、患者の声の実際の大きさの約４倍に増大された声の大きさと感じることに関係している。
従って、上述した挿入損失および閉塞効果のない耳腔レシーバが必要とされている。
【課題を解決するための手段】
【０００５】
この発明の１つの態様は、耳鳴りを取り扱う改良されたシステムに関している。先行技術の上述した問題点、他の問題点および欠陥はこの発明の補聴器によって克服され、または、取り除かれる。この発明の補聴器は、補聴器を使用しない耳に較べて、可聴周波数域で、約３デシベル以下の挿入損失を生じるように構成されたレシーバを備えている。
【０００６】
他の態様において、マイクロ−レシーバはユーザの耳腔内で、開放された耳を構成するように配置され、音声処理ユニットはマイクロ−レシーバから離隔して設けられている。上述した補聴器は、挿入効果および閉塞効果を減じる利点を有している。  
【０００７】
他の態様において、ユーザの耳腔内に耳が開放された状態で、マイクロ−レシーバが配置され、そして、音声処理ユニットが、マイクロ−レシーバから離隔して設けられる。開示した補聴器は、挿入効果および閉塞効果を減じる利点がある。
【０００８】
他の例示的態様においては、レシーバは、横方向の最大寸法φを有している。この寸法は、レシーバの最大寸法または直径を表している（レシーバの横断面が円形または楕円形であることを示唆するものではない）。１つの例示的態様において、レシーバの寸法φが、ユーザの耳腔の横方向の最大寸法の半分以下である。他の態様において、レシーバの寸法φが、ユーザの耳腔の横方向の最大寸法の２０％以下である。他の態様において、レシーバの寸法φが、ユーザの耳腔の横方向の最大寸法の１０％以下である。他の態様において、レシーバの寸法φが、ユーザの耳腔の横方向の最大寸法の５％以下である。
【０００９】
他の態様において、補聴器が、音声処理ユニット、レシーバ、および、前記音声処理ユニットと前記レシーバの間の中間連結部を更に備え、前記中間連結部は、前記中間連結部の少なくとも一部に設けられた電気伝導性部品、および、補強ワイヤを備えている。他の例示的態様において、前記補強ワイヤは金属または金属合金からなっている。他の例示的態様において、前記金属または金属合金が、前記ワイヤがたわみ元の形状に戻る記憶を有している。これらは、ステンレス鋼であってもよい。形状記憶合金であってもよい。
【００１０】
他の例示的態様において、前記補強ワイヤは中間連結部内またはその一部の上に配置され、レシーバ内または少なくともその一部分上に延伸している。このような態様においては、レシーバは、中間連結部上に安定して弾性を備えた位置している。更に、補強材が使用されると、中間連結部およびレシーバは特注で製造されまたは造形されて耳腔内にレシーバを最も適した配置にする、および／または、中間連結部の配置を最適にする。
【００１１】
他の態様において、保持ワイヤが、補強ワイヤおよびレシーバの１つから延伸している。保持ワイヤは、耳の耳甲介の部分内に位置するように構成されている。このような態様においては、保持ワイヤは、補聴レシーバの耳腔内への過度の挿入が起きないように構成される。保持ワイヤは、補聴レシーバが耳腔内の部分内に吊るされるように構成されて、レシーバのどの部分も耳腔の側面に触れることはない。
【００１２】
他の態様において、電気伝導性部品は、中間連結部内の、別の管路、または、相互に分離された管路内に設けられた２つのワイヤからなっている。他の態様において、補強材が、別の管路内またはワイヤから分離した管路内の、中間連結部内または上に設けられている
【００１３】
他の態様において、レシーバはスピーカを備えており、第１端部および第２端部を有するケーシング内に少なくとも一部が閉じ込められており、前記第１の端部が前記中間連結部と連絡し、前記スピーカがケーシングの第２端部に設けられたポートに連絡している。他の態様において、ケーシングは、第１端部、および、第１端部から第２の端部に設けられたポートまで延伸するケーシングの全長に沿って水密にシールされている。ポートは、膜またはメッシュ材によって、水密にシールされていてもよい。
以下の詳細な記述および図面から、当業者は、この発明の上述したまたは他の特徴、利点を容易に理解するものである。
【発明の効果】
【００１４】
開示した補聴器は、挿入効果および閉塞効果を減じる利点がある。
【発明を実施するための最良の形態】
【００１５】
図１に示すように、この発明の補聴システムとして、レシーバおよび連結部が、符号番号１０で例示されている。１つの態様において、補聴システムは完全な開腔（ＣＯＣ）システムとして構成されている。図１に例示するように、符号番号１２で指示されているレシーバ部は、少なくとも一部がケーシング１６で囲まれているスピーカ１２を備えている。レシーバ部１２は、符号番号１８で指示されている連結部に取り付けられており、連結部は、中間連結部２０および音声処理部品（ユニット）コネクタ２２を備えている。
【００１６】
音声処理ユニットコネクタ２２は、音声処理ユニット上の（図示しない）対応する電気インターフェースに合致するように構成された電気インターフェース２４を備えている。図示した電気インターフェース２４は、コネクタシェル２６によって囲まれた３−ピン雌インターフェースである。シェル２６はロックピン２８によって接合される２つの部分のシェルとして図示されているが、シェル２６は、あらゆる便宜な形状であってもよく、または、インターフェース２４は、単に、電気インターフェース２４からなっており、シェル２６が最小の形状であっても、または無くても良い。選択的に、マイクロホン２７がシェルに設けられてもよい。マイクロホン２７は、（図示しない）別の電気接続または電気インターフェースを介して、音声処理ユニットに接続されてもよい。
【００１７】
図２に、レシーバ１２および中間連結部２０を詳細に例示する。スピーカ１４は、少なくとも一部がケーシング１６内に取り囲まれた状態で示されている。図示した中間連結部２０は、中間連結部２０の少なくとも一部に沿って設けられた電気伝導性部品３０および補強ワイヤ３２を備えている。他の例示的態様において、補強ワイヤ３２はステンレス鋼からなっている。他の例示的態様において、補強ワイヤ３２は、記憶を備え、ワイヤが歪曲し元の状態に戻る金属または金属合金からなっている。例えば、補強ワイヤ３２は形状記憶合金からなっている。
【００１８】
図２に示すように、例示された補強ワイヤ３２は、中間連結部２０の内部または一部の上に設けられ、レシーバ１２の内部または少なくとも一部の上に延伸している。例示した態様における補強ワイヤ３２は、中間連結部２０の管路３４を通って延伸し、レシーバ１２の近端部３６内へと進み、スピーカ１４に沿って延伸している。このような態様において、更に、補強ワイヤがレシーバ１２および中間連結部２０またはその一部において使用されるときはいつでも、レシーバ１２は、中間連結部２０に関して、安定し弾性を備えて配置される。更に、補強ワイヤ３２が使用される場合には、中間連結部２０およびレシーバ１２は特注で製造されまたは造形されて耳腔内にレシーバを最も適した配置にする、および／または、中間連結部２０の配置を最適にする。
【００１９】
更に、図２に示すように、例示された電気伝導性部品３０は、中間連結部２０内の管路３８内に設けられている。電気伝導性部品３０は、スピーカ１４から中間連結部２０を通って電気インターフェース２４まで延伸し、音声処理ユニットとスピーカ１４の間の電気的接続を行っている。
【００２０】
図３に示す態様において、電気伝導性部品３０は、管路内に設けられた２つのワイヤ４０、４２を備えている。この態様においては、両方のワイヤ４０、４２が同一管路内に設けられているが、他の構成も考えられる。例えば、両方のワイヤ４０、４２が、補強ワイヤ３２と同じ管路を利用してもよい。更に、各ワイヤ４０、４２が、別の管路内に設けられてもよいし、連結部の中で、相互に分離されてもよい。
【００２１】
更に、図２に示すように、例示するレシーバケーシングは、第１（近端）端部３６および第２（遠端）端部４４を有しており、第１の端部は中間連結部２０と連絡し、スピーカ１４はケーシング１６の第２端部４４に設けられたポーロ４６と連絡している。
【００２２】
例示した態様として記述しているように、ケーシングは、スピーカの周りの中間連結部２０からポート４６にかけて設けられている。ケーシング１６には、非透過性材料が使用され、第１の端部３６、および、第１の端部３６から第２の端部に設けられたポートまで延びるケーシングの全長に沿って水密にシールされる。図示されているように、ポートは、膜またはメッシュ材４８によってそれ自体が水密にシールされている。
【００２３】
ケーシングに使用される材料は、２つのシェルを組み合わせる、表面を覆うように成形する、収縮させて覆う等を含む数々の方法によって形成される。如何なる材料でも使用することができる。１つの例示態様として、上述した材料は、ポリプロピレンである。他の態様においては、材料はナイロンまたはポリエチレンである。ポートには、永久または取り外し可能な耳垢収集器を備えることができる。
【００２４】
更に、図２に示すように、レシーバは最大横方向寸法φを有している。このような寸法は、レシーバ１６の全体の最大寸法または直径（但し、レシーバの横断面が円形または楕円を示唆するものではない）である。１つの態様において、レシーバは寸法φを有し、その寸法は、使用者の耳腔の最大横方向の寸法または直径の半分以下である。他の態様においては、レシーバは寸法φを有し、その寸法は、使用者の耳腔の最大横方向の寸法または直径の２０％以下である。他の態様においては、レシーバは寸法φを有し、その寸法は、使用者の耳腔の最大横方向の寸法または直径の１０％以下である。他の態様においては、レシーバは寸法φを有し、その寸法は、使用者の耳腔の最大横方向の寸法または直径の５％以下である。
【００２５】
図４に示すように、例示している第２の補聴システムが符号番号５０で指示されている。レシーバ１６、中間連結部２０および音声処理ユニット５２が組み立てられて示されている。音声処理部品（ユニット）コネクタ２２は、音声処理ユニット５２と接合されて示されている。例示的に図示するように、保持ワイヤ５４がレシーバ１６から延伸している。図５に示すように、保持ワイヤ５４は、符号番号５８で示す、耳の耳甲介の部分内に位置するように構成されている。このような態様においては、補聴レシーバ１６の耳腔６０内への最大挿入を示すように構成される。
【００２６】
例えば、保持ワイヤ５４、レシーバ１６、および中間連結部２０は、レシーバが耳腔内に延伸するけれども、耳腔６０の骨質の領域６２内には延伸しないように構成される。更に、図５に示すように、保持ワイヤ５４は、補聴レシーバ１６が耳腔６０内の部分内に吊るされるように構成して、レシーバのどの部分も耳腔６０の側面に触れることはない。保持ワイヤはレシーバ１６から延伸するものとして示されているけれども、その代わりに、保持ワイヤは、中間連結部２０から延伸してもよい。
【００２７】
次に、図６に示すように、音声処理ユニット（ＳＰＵ）は、例示的に符号番号５２で指示されている。図示されたＳＰＵは、一般的に、ハウジング６４；雄３−ピン電気接続として示され、増幅器および音声処理部品６８に接続されるＳＰＵ電気インターフェース６６；増幅器および音声処理部品６８に接続されるマイクロホン７０；増幅器および音声処理部品６８に電力を供給するバッテリ部品７２；プッシュボタンと共に図示されユーザインターフェースに増幅器および音声処理部品６８および／またはバッテリ部品を付与するスイッチ部品；および、ＳＰＵ外部プログラムおよびリプログラムができる、および／または補聴装置に追加の内部部品を拡張することできるプログラムコネクタ７８を備えている。
【００２８】
プログラム訂正スイッチ７９によって、技術者または使用者が増幅器および音声処理部品６８のプログラムおよびリプログラム制御することができる。更に、（図示しない）入力ポートをその近傍（装置のどこでもよい）に設けて、外部ソースから装置のプログラムおよびリプログラムを実行するようにしてもよい。記憶部を増幅器および音声処理部品６８内、および／または、装置内のどこにでも設けて、ＳＰＵのプログラムおよびリプログラムを可能にする、および／または、ユーザが、ユーザインターフェースを介して各種プログラムを選択することができる。
【００２９】
図７は、第２のＳＰＵの態様を例示的に示す。増幅器および音声処理部品６８は、バッテリ部品７２、スイッチ部品７４、マイクロホン７０およびＳＰＵ電気インターフェース６６の各々を接続する回路基板として設けられている。
他の例示的態様において、耳ユニットの背後に、追加的に、１以上の音声を発するために使用されるノイズ発生器を備えている。音声は、耳鳴りに対処するために有効な特定の周波数領域において発生させる。ノイズ発生器は、治療のために、このような信号をレシーバに送る。
【００３０】
次の表は、４つの補聴装置（Ｇ= General Hearing Instrument、Ｏ=Oticon、Ｓ=Sebotek、Ｖ=Vivatone）を比較して集めたデータの静的な分析を要約している。
【００３１】
テストに使用したVivatone装置は、ミクロレシーバおよび保持ワイヤを備えた上述した実施態様に一致する構成であった。Vivatone装置は、更に、レシーバが耳腔の壁面に接触しないように軟骨領域内に配置された。
テストに使用されたGeneral Hearing Instrumentは、canal-open-ear Auriscoe（登録商標）補聴器であった。テストに使用したOticon装置は、ロープロファイルのOpen Ear Acoustics（登録商標）構成であった。テストに使用したSebotek装置は、米国特許No.5,606,621(Reiter)に開示されたPAC(Post Auricular Canal)補聴器であって、上述した特許に記載された全ての内容が引用によってここに組み込まれる。   
【００３２】
３０の対象者に関して評価を行った。各対象者に対して４回、合計１２０回テストを行った。分析したデータは、試験実耳挿入応答曲線の値であり、これは補聴器無と補聴器有との間の差と、対象者が「ＥＥ」の文字を発生しながら繰り返された対応する値とからなっている。２つの差は、挿入効果および閉塞効果と呼ばれる。値は、７９周波数（２００Hzから８０００Hzの間で、１００Hzづつ増加）で与えられた。
【００３３】
モデルの分析は、各周波数に関して行われた。比較は、対象者、テスト順、先の装置に対して調整された。実験誤差は、挿入効果に関して概ね５−１１Dbであり、閉塞効果に関して概ね３−８Dbであった。
【００３４】
比較結果を以下の表に示した。結果は各周波数に対して示した。絶対値２．４４４より大きいＴ−値は表１に含まれている。２．４４４より少ないＴ−値は、単に表１から除外されているというだけで、統計的に重要でないとは解釈されない。マイナスの値は、Vivatone装置に較べて、比較用装置の方が挿入効果、または閉塞効果が大きいことを示している。プラスの値は、比較用装置に較べて、Vivatone装置の方が挿入効果、または閉塞効果が大きいことを示している。
【００３５】
以下の表は、各周波数における比較をまとめたものである。表の値は、デシベル差をプラス、マイナスで表した。表に示すように、Vivatone装置は、比較用装置に較べて周波数域の全体に亘って低い挿入効果を示している。実に、Vivatone装置は、可聴スペクトルで３デシベル以下の挿入損失を示している。更に、Oticon装置での５００Hzから１３００Hz域を除いて、Vivatone装置は、比較用装置に較べて周波数域で低い閉塞効果を示している。
表１  比較のまとめ
2006518152.tif 000003
2006518152.tif 000004
2006518152.tif 000005
2006518152.tif 000006
表２  ２００Hzでの結果
200 Hz
挿入効果
値      標準誤差       t値
X1   -3.228805324  2.8128462   -1.147878383  (General vs. Vivatone)
X2   -3.973763109  2.6132138   -1.520642189  (Oticon vs. Vivatone)
X3  -28.990360956  2.6890912  -10.780728129  (Sebotek vs. Vivatone)
閉塞効果
値     標準誤差     t値
X1  -1.76124202  2.3527289  -0.74859539
X2   3.03270998  2.1857518  1.38749056
X3  -8.48537631  2.2492174  -3.77259056
表3  3００Hzでの結果
300 Hz
挿入効果
値     標準誤差       t値
X1  -3.259075564  2.9386512   -1.109037917
X2  -3.984400433  2.7300902   -1.459439139
X3  -30.557774712  2.8093612  -10.877125620
閉塞効果
値     標準誤差     t値
X1  -1.34258739  2.4706214  -0.54342093
X2   3.70308746  2.2952773  1.61335081
X3  -7.91842555  2.3619231  -3.35253321
表4  4００Hzでの結果
400 Hz
挿入効果
値     標準誤差      t値
X1  -3.18071721  2.9913629  -1.06330036
X2  -3.71440204  2.7790608  -1.33656738
X3  -31.13784296  2.8597538 -10.88829507
閉塞効果
値      標準誤差    t値
X1  -0.97685416  2.5694950  -0.3801736
X2   4.68242198  2.3871337  1.9615248
X3  -7.36959617  2.4564466  -3.00010500 Hz
表5  5００Hzでの結果
500Hz
挿入効果
値     標準誤差      t値
X1  -3.06639030   3.0294176  -1.01220456
X2  -3.35011711   2.8144148  -1.19034237
X3  -31.31511356  2.8961342  -10.81272859
閉塞効果
値     標準誤差     t値
X1  -0.42304814  2.5993905  -0.16274897
X2  6.57442272   2.4149074  2.72243260
X3  -7.76226106  2.4850268  -3.12361260
表6  6００Hzでの結果
600 Hz
挿入効果
値      標準誤差       t値
X1  -2.8099533318  3.1302318   -0.897682188
X2  -2.9480594700  2.9080740   -1.013749811
X3  -31.7421838724  2.9925130  -10.607200022
閉塞効果
値     標準誤差     t値
X1  1.04164510  2.4705285   0.4216284
X2  9.21450274  2.2951910   4.0146998
X3  -7.89446530  2.3618343  -3.3425145
表７  ７００Hzでの結果
700 Hz
挿入効果
値     標準誤差      t値
X1  -2.588272854   3.2245678  -0.80267279
X2  -2.847366146   2.9957148  -0.95047970
X3  -32.604172820  3.0826986  -10.57650368
閉塞効果
値      標準誤差     t値
X1   1.889389684  2.2700032  0.83232909
X2  11.110529893  2.1088973  5.26840739
X3  -8.402816196  2.1701313  -3.87203123
表８  ８００Hzでの結果
800 Hz
挿入効果
値     標準誤差       t値
X1  -2.515782392  3.3207934   -0.757584738
X2  -3.398601005  3.0851111   -1.101613808
X3  -33.491112358  3.1746906  -10.549409992
閉塞効果
値     標準誤差    t値
X1   1.82698457  2.2246681  0.8212392
X2  11.63631424  2.0667796  5.6301669
X3  -8.77668112  2.1267908  -4.1267252
表９  ９００Hzでの結果
900 Hz
挿入効果
値     標準誤差      t値
X1  -2.38554234  3.3949516  -0.70267345
X2  -4.09229805  3.1540062  -1.29749208
X3 -34.11309345  3.2455861  -10.51061120
閉塞効果
値      標準誤差     t値
X1   1.92054270  2.1612333  0.88863274
X2  10.62901086  2.0078470  5.29373549
X3  -8.81972030  2.0661469  -4.26868009
表１０  １０００Hzでの結果
1000 Hz
挿入効果
値    標準誤差       t値
X1  -2.275590447  3.3148820  -0.686477055
X2  -4.883197416  3.0796193  -1.585649707
X3 -34.827767987  3.1690393  -10.990008326
閉塞効果
値      標準誤差     t値
X1  1.90850033  2.0273877   0.94135935
X2  8.71736528  1.8835006   4.62827855
X3 -9.08163181  1.9381900   -4.68562518
表１１  １１００Hzでの結果
1100 Hz
挿入効果
値    標準誤差      t値
X1  -2.156384500  3.2283746  -0.66794743
X2  -6.075641257  2.9992514  -2.02571923
X3 -34.777147774  3.0863378  -11.26809495
閉塞効果
値     標準誤差     t値
X1  0.652209894  1.9516141  0.33418998
X2  6.892687975  1.8131048  3.80159378
X3 -9.956084782  1.8657502  -5.33623669
表１２  １２００Hzでの結果
1200 Hz
挿入効果
値    標準誤差       t値
X1  -1.585101698  3.1910179  -0.496738573
X2  -6.880732089  2.9645460  -2.321006989
X3 -34.561124381  3.0506248  -11.329195525
閉塞効果
値      標準誤差      t値
X1   0.1712529167  1.9293266  0.088763052
X2   6.3227648043  1.7923991  3.527543026
X3 -10.3896722765  1.8444433  -5.632958487
表１３  １３００Hzでの結果
1300 Hz
挿入効果
値      標準誤差       t値
X1  -1.1981154661  3.1078549  -0.385512034
X2  -7.5105809960  2.8872852  -2.601260486
X3 -35.3762012491  2.9711206  -11.906686397
閉塞効果
値     標準誤差      t値
X1   1.2358134856  1.8298857   0.675350090
X2   5.3236175161  1.7000157   3.131510866
X3 -11.0905638474  1.7493774   -6.339720527
表１４  １４００Hzでの結果
1400 Hz
挿入効果
値     標準誤差      t値
X1  -1.643093468  3.2026055  -0.51304897
X2  -9.006829511  2.9753112  -3.02718902
X3 -36.606739445  3.0617025  -11.95633446
閉塞効果
値   標準誤差     t値
X1   1.218719994  1.7929210  0.67973995
X2   3.569212245  1.6656744  2.14280315
X3 -13.277066609  1.7140390  -7.74607050
表１５  １５００Hzでの結果
1500 Hz
挿入効果
値   標準誤差       t値
X1  -2.004330563  3.3559284  -0.597250692
X2 -10.520911903  3.1177525  -3.374517947
X3 -37.149067713  3.2082798  -11.579123521
閉塞効果
値      標準誤差     t値
X1   1.565644363  1.9150221   0.81755941
X2   3.037305910  1.7791098   1.70720543
X3 -14.661208291  1.8307681   -8.00822785
表１６  １２００Hzでの結果
1600 Hz
挿入効果
値    標準誤差      t値
X1  -1.951098286  3.2915707   -0.59275600
X2 -11.474827775  3.0579624   -3.75244240
X3 -37.443659502  3.1467536  -11.89913947
閉塞効果
値     標準誤差     t値
X1   2.19998543  2.0883350  1.05346387
X2   2.69222085  1.9401223  1.38765520
X3 -15.01898313   1.9964558  -7.52282265
表１７  １７００Hzでの結果
1700 Hz
挿入効果
値     標準誤差      t値
X1  -2.09200068  3.1519854  -0.66370887
X2 -12.37275620  2.9282837  -4.22525864
X3 -37.59666754  3.0133095  -12.47686870
閉塞効果
値    標準誤差     t値
X1   2.296444502  2.1572750  1.06451169
X2   2.044449766  2.0041696  1.02009817
X3 -15.035410954  2.0623628  -7.29038120
表１８  １８００Hzでの結果
1800 Hz
挿入効果
値    標準誤差       t値
X1  -2.7841781655  3.0546323  -0.911460998
X2 -13.4911317442  2.8378399  -4.754014423
X3 -37.7204275127  2.9202396  -12.916894941
閉塞効果
値     標準誤差     t値
X1   1.299973079  2.2825012  0.56953884
X2   0.228669495  2.1205082  0.10783712
X3 -16.763530564  2.1820794  -7.68236495
表１９  １９００Hzでの結果
1900 Hz
挿入効果
値   標準誤差      t値
X1  -3.92267763  2.9833070  -1.31487560
X2 -14.86697694  2.7715767  -5.36408636
X3 -38.18257655  2.8520524  -13.38775431
閉塞効果
値     標準誤差     t値
X1  -0.445001551  2.4921416  -0.17856191
X2  -2.149696858  2.3152701  -0.92848642
X3 -18.984168789  2.3824964  -7.96818358
表２０  ２０００Hzでの結果
2000 Hz
挿入効果
値    標準誤差       t値
X1  -5.07137477  2.8884821  -1.755723078
X2 -16.19593588  2.6834817  -6.035418726
X3 -38.47923896  2.7613994  -13.934687726
閉塞効果
値     標準誤差     t値
X1  -1.85628537  2.4314096  -0.76346057
X2  -4.57822019  2.2588484  -2.02679391
X3 -20.60848494  2.3244365  -8.86601350
表２１  ２１００Hzでの結果
2100 Hz
挿入効果
値    標準誤差      t値
X1  -6.05449479  2.8084770  -2.15579289
X2 -17.24123089  2.6091547  -6.60797572
X3 -38.52172601  2.6849143 -14.34746975
閉塞効果
値    標準誤差    t値
X1  -2.98680095  2.4258921  -1.2312176
X2  -6.98416480  2.2537225  -3.0989462
X3 -22.09045009  2.3191617  -9.5251876
表２２  ２２００Hzでの結果
2200 Hz
挿入効果
値     標準誤差      t値
X1  -6.880641275  2.7399735  -2.51120723
X2 -18.094100656  2.5455130  -7.10823348
X3 -38.294583408  2.6194246  -14.61946370
閉塞効果
値     標準誤差      t値
X1  -4.04732286  2.3505212  -1.72188312
X2  -9.35005881  2.1837008  -4.28174902
X3 -23.23487105  2.2471069  -10.33990481
表２３  ２３００Hzでの結果
2300 Hz
挿入効果
値   標準誤差      t値
X1  -7.702143365  2.7076991  -2.84453441
X2 -18.774332728  2.5155292  -7.46337303
X3 -38.024411656  2.5885702  -14.68934905
閉塞効果
値    標準誤差      t値
X1  -5.220130253  2.2482925  -2.32181990
X2 -11.708355563  2.0887274  -5.60549718
X3 -24.646487441  2.1493758  -11.46681163
表２４  ２４００Hzでの結果
2400 Hz
挿入効果
値   標準誤差      t値
X1  -8.486673413  2.6869395   -3.15849066
X2 -19.349755107  2.4962429   -7.75155131
X3 -37.572817183  2.5687240  -14.62703571
閉塞効果
値     標準誤差       t値
X1  -6.906049894  2.1583519   -3.199686766
X2 -14.081049900  2.0051700   -7.022372074
X3 -26.086046643  2.0633922  -12.642311144
表２５  ２５００Hzでの結果
2500 Hz
挿入効果
値     標準誤差       t値
X1  -9.210748358  2.6528782  -3.471983194
X2 -19.817120519  2.4645989  -8.040708038
X3 -36.833570981  2.5361612  -14.523355801
閉塞効果
値     標準誤差       t値
X1  -7.8887912841  2.1296325  -3.704296963
X2 -15.5096824184  1.9784889  -7.839155515
X3 -26.7269510910  2.0359364  -13.127596011
表２６  ２６００Hzでの結果
2600 Hz
挿入効果
値     標準誤差      t値
X1  -9.66555736  2.6025828   -3.71383279
X2 -20.13716999  2.4178731   -8.32846424
X3 -35.82550481  2.4880786  -14.39886359
閉塞効果
値    標準誤差        t値
X1 -8.039373e+000  2.0445271   -3.9321428795
X2 -1.552271e+001  1.8994236   -8.1723244632
X3 -2.594425e+001  1.9545753  -13.2736008791
表２７  ２７００Hzでの結果
2700 Hz
挿入効果
値     標準誤差       t値
X1  -9.8422402627  2.4996242   -3.937488045
X2 -20.2943035971  2.3222216   -8.739175965
X3 -34.4411171164  2.3896498  -14.412621118
閉塞効果
値     標準誤差       t値
X1  -7.613859887  1.9209320   -3.963627961
X2 -14.957610998  1.7846003   -8.381490995
X3 -24.625003741  1.8364180  -13.409258493
表２８  ２８００Hzでの結果
2800 Hz
挿入効果
値     標準誤差     t値
X1  -9.86365196  2.3996114   -4.1105206
X2 -20.27641387  2.2293069   -9.0953891
X3 -33.03347336  2.2940372  -14.3997113
閉塞効果
値    標準誤差     t値
X1  -7.50588772  1.8590431  -4.0375006
X2 -14.65670749  1.7271037   -8.4862926
X3 -23.70698104  1.7772520  -13.3391220
表２９  ２９００Hzでの結果
2900 Hz
挿入効果
値    標準誤差      t値
X1  -9.86079168  2.2699771   -4.34400497
X2 -20.15133560  2.1088730   -9.55549987
X3 -31.52307174  2.1701063  -14.52604933
閉塞効果
値     標準誤差      t値
X1  -7.543366871  1.8062716   -4.17620855
X2 -14.359771755  1.6780775   -8.55727583
X3 -23.256473650  1.7268022  -13.46794292
表３０  ３０００Hzでの結果
3000 Hz
挿入効果
値   標準誤差       t値
X1  -9.7856477447  2.1508276   -4.549712685
X2 -20.0236465366  1.9981798  -10.020943400
X3 -30.2576796218  2.0561990  -14.715345668
閉塞効果
値    標準誤差      t値
X1  -7.47719814  1.74153648   -4.29344904
X2 -14.06177565  1.61793672   -8.69117777
X3 -22.09160667  1.66491522  -13.26890791
表３１  ３１００Hzでの結果
3100 Hz
挿入効果
値    標準誤差       t値
X1  -9.664299909  2.0441730  -4.727730813
X2 -19.902779737  1.8990947  -10.480140962
X3 -28.927085690  1.9542369  -14.802241273
閉塞効果
値     標準誤差       t値
X1  -7.058142664  1.68138544   -4.197813587
X2 -13.560497213  1.56205470   -8.681192285
X3 -20.712909615  1.60741060  -12.885885895
表３２  ３２００Hzでの結果
3200 Hz
挿入効果
値     標準誤差      t値
X1  -9.510894160  1.9521516  -4.87200583
X2 -19.806347612  1.8136042  -10.92098708
X3 -27.726410309  1.8662641  -14.85663835
閉塞効果
値   標準誤差       t値
X1  -7.163145949  1.64523049   -4.353885967
X2 -13.488540806  1.52846573   -8.824889289
X3 -19.070659369  1.57284634  -12.124934858
表３３  ３３００Hzでの結果
3300 Hz
挿入効果
値     標準誤差       t値
X1  -9.2786068378  1.8838049  -4.925460512
X2 -19.6593344393  1.7501081  -11.233211221
X3 -26.5719530600  1.8009244  -14.754619026
閉塞効果
値      標準誤差      t値
X1  -7.31237040  1.66005982  -4.40488366
X2 -13.45522787  1.54224259  -8.72445614
X3 -17.74897246  1.58702323  -11.18381389
表３４  ３４００Hzでの結果
3400 Hz
挿入効果
値    標準誤差      t値
X1  -9.066209111  1.8323300  -4.94791271
X2 -19.556815995  1.7022865  -11.48855723
X3 -25.574072634  1.7517142  -14.59945508
閉塞効果
値   標準誤差      t値
X1  -7.23388315  1.70948608  -4.2316128
X2 -13.07226920  1.58816098  -8.2310731
X3 -16.72753874  1.63427491  -10.2354498
表３５  ３５００Hzでの結果
3500 Hz
挿入効果
値     標準誤差      t値
X1  -8.91013789  1.7886133  -4.98158981
X2 -19.45460034  1.6616724  -11.70784323
X3 -24.81692370  1.7099208  -14.51349273
閉塞効果
値   標準誤差      t値
X1  -7.3687376481  1.76527541  -4.174270831
X2 -12.8957066864  1.63999085  -7.863279640
X3 -15.7692838620  1.68760971  -9.344153291
表３６  ３６００Hzでの結果
3600 Hz
挿入効果
値   標準誤差      t値
X1  -8.691367288  1.7763295  -4.89288013
X2 -19.342423503  1.6502604  -11.72083106
X3 -24.157524195  1.6981775  -14.22555931
閉塞効果
値     標準誤差     t値
X1  -6.962227987  1.76558948  -3.94328809
X2 -12.008873432  1.64028264  -7.32122206
X3 -14.662004950  1.68790997  -8.68648519
表３７  ３７００Hzでの結果
3700 Hz
挿入効果
値     標準誤差      t値
X1  -8.583079332  1.76270385  -4.86926908
X2 -19.313847560  1.63760180  -11.79398287
X3 -23.737175524  1.68515129  -14.08607978
閉塞効果
値    標準誤差      t値
X1  -6.5337475500  1.74265157  -3.749313783
X2 -11.3626632173  1.61897267  -7.018440431
X3 -13.5120469265  1.66598124  -8.110563666
表３８  ３８００Hzでの結果
3800 Hz
挿入効果
値     標準誤差      t値
X1  -8.441467426  1.75635543  -4.80624097
X2 -19.336107428  1.63170394  -11.85025478
X3 -23.463879959  1.67908218  -13.97422961
閉塞効果
値     標準誤差     t値
X1  -6.278133968  1.68496687  -3.72596880
X2 -10.754862789  1.56538194  -6.87044005
X3 -12.412324737  1.61083445  -7.70552474
表３９  ３９００Hzでの結果
3900 Hz
挿入効果
値      標準誤差      t値
X1  -8.270799727  1.76899901   -4.67541231
X2 -19.372231987  1.64345018  -11.78753833
X3 -23.226956475  1.69116949  -13.73425708
閉塞効果
値     標準誤差     t値
X1  -6.04925683  1.66204356  -3.6396500
X2  -9.99092084  1.54408554  -6.4704452
X3 -11.55100361  1.58891969  -7.2697215
表４０  ４０００Hzでの結果
4000 Hz
挿入効果
値      標準誤差      t値
X1  -8.086843450  1.72954953  -4.67569348
X2 -19.275861670  1.60680050  -11.99642501
X3 -23.027648032  1.65345564  -13.92698265
閉塞効果
値      標準誤差     t値
X1  -5.468606286  1.53347467  -3.56615364
X2  -9.213260489  1.42464140  -6.46707337
X3 -10.842963904  1.46600737  -7.39625472
表４１  ４１００Hzでの結果
4100 Hz
挿入効果
値     標準誤差      t値
X1  -7.881860321  1.70361988  -4.62653695
X2 -19.265070702  1.58271112  -12.17219647
X3 -22.687028158  1.62866680  -13.92981556
閉塞効果
値      標準誤差      t値
X1  -5.234017037  1.44847923  -3.613456733
X2  -8.367227067  1.34567823  -6.217851237
X3 -10.113523797  1.38475142  -7.303494094
表４２  ４２００Hzでの結果
4200 Hz
挿入効果
値     標準誤差      t値
X1  -7.650776971  1.67932983  -4.55585129
X2 -19.207194367  1.56014498  -12.31115996
X3 -22.260182017  1.60544543  -13.86542428
閉塞効果
値     標準誤差      t値
X1 -5.1074935588  1.37868912  -3.704601341
X2 -7.5586894898  1.28084124  -5.901347685
X3 -9.5194610061  1.31803181  -7.222481964
表４３  ４３００Hzでの結果
4300 Hz
挿入効果
値     標準誤差      t値
X1  -7.390373789  1.65707945  -4.45987897
X2 -19.182103586  1.53947374  -12.46016937
X3 -21.767082631  1.58417398  -13.74033587
閉塞効果
値     標準誤差      t値
X1 -4.8960648158  1.30757620  -3.744382017
X2 -6.7790754700  1.21477533  -5.580517913
X3 -8.7460200811  1.25004761  -6.996549598
表４４  ４４００Hzでの結果
4400 Hz
挿入効果
値    標準誤差      t値
X1  -7.146230694  1.63780680  -4.36329284
X2 -19.243600045  1.52156891  -12.64720903
X3 -21.178776976  1.56574926  -13.52628895
閉塞効果
値     標準誤差     t値
X1 -4.87065603  1.25303258  -3.88709449
X2 -6.06657954  1.16410275  -5.21137805
X3 -8.16174608  1.19790370  -6.81335742
表４５  ４５００Hzでの結果
4500 Hz
挿入効果
値     標準誤差      t値
X1  -6.847453349  1.63031020  -4.20009231
X2 -19.340813305  1.51460436  -12.76954819
X3 -20.581624580  1.55858249  -13.20534829
閉塞効果
値     標準誤差     t値
X1 -4.952060307  1.20193410  -4.12007640
X2 -5.516111259  1.11663082  -4.93995971
X3 -7.888428986  1.14905337  -6.86515456
表４６  ４６００Hzでの結果
4600 Hz
挿入効果
値     標準誤差      t値
X1  -6.536781665  1.63166742  -4.00619732
X2 -19.370563786  1.51586525  -12.77855257
X3 -19.946411210  1.55987999  -12.78714471
閉塞効果
値     標準誤差     t値
X1 -4.583931130  1.20319291  -3.80980565
X2 -4.866591929  1.11780029  -4.35372220
X3 -7.363325177  1.15025680  -6.40146201
表４７  ４７００Hzでの結果
4700 Hz
挿入効果
値     標準誤差      t値
X1  -6.247439739  1.64057349  -3.80808282
X2 -19.485709545  1.52413924  -12.78473056
X3 -19.320813101  1.56839423  -12.31884990
閉塞効果
値      標準誤差     t値
X1 -4.277111412  1.20635740  -3.54547616
X2 -4.319781388  1.12074019  -3.85440034
X3 -6.818258071  1.15328207  -5.91204726
表４８  ４８００Hzでの結果
4800 Hz
挿入効果
値    標準誤差       t値
X1  -5.9496237669  1.65009622  -3.605622326
X2 -19.3341460166  1.53298612  -12.612081555
X3 -18.6504311493  1.57749799  -11.822792342
閉塞効果
値     標準誤差     t値
X1 -3.63533451  1.19702245  -3.03698108
X2 -3.68529686  1.11206776  -3.31391396
X3 -6.10429061  1.14435781  -5.33424995
表４９  ４９００Hzでの結果
4900 Hz
挿入効果
値    標準誤差      t値
X1  -5.69900795  1.67201132  -3.40847449
X2 -19.09922740  1.55334588  -12.29554066
X3 -18.04055946  1.59844891  -11.28629094
閉塞効果
値     標準誤差     t値
X1 -3.007209843  1.15216066  -2.61006121
X2 -3.037454396  1.07038989  -2.83770842
X3 -5.416608544  1.10146978  -4.91761883
表５０  ５０００Hzでの結果
5000 Hz
挿入効果
値     標準誤差      t値
X1  -5.42096921  1.69550964  -3.19725060
X2 -18.70751384  1.57517648  -11.87645583
X3 -17.36767314  1.62091338  -10.71474474
閉塞効果
値   標準誤差      t値
X1 -2.649642968  1.11875070  -2.36839447
X2 -2.583699149  1.03935109  -2.48587718
X3 -4.726811994  1.06952974  -4.41952366
表５１  ５１００Hzでの結果
5100 Hz
挿入効果
値     標準誤差      t値
X1  -5.12838471  1.72005712  -2.98152000
X2 -18.18322864  1.59798178  -11.37887104
X3 -16.68033428  1.64438087  -10.14383871
閉塞効果
値    標準誤差     t値
X1 -2.350640296  1.06203444  -2.21333717
X2 -2.222199512  0.98666007  -2.25224428
X3 -4.297318170  1.01530879  -4.23252337
表５２  ５２００Hzでの結果
5200 Hz
挿入効果
値      標準誤差      t値
X1  -4.846893396  1.73104035  -2.79998868
X2 -17.483734536  1.60818552  -10.87171496
X3 -15.991399029  1.65488088  -9.66317230
閉塞効果
値     標準誤差     t値
X1 -1.863905114  1.02038103  -1.82667559
X2 -1.588450835  0.94796287  -1.67564667
X3 -3.737920520  0.97548797  -3.83184685
表５３  ５３００Hzでの結果
5300 Hz
挿入効果
値    標準誤差      t値
X1  -4.635811384  1.74762530  -2.65263463
X2 -16.806580187  1.62359340  -10.35147110
X3 -15.434734844  1.67073615  -9.23828390
閉塞効果
値      標準誤差    t値
X1 -1.55178690  0.94658159  -1.6393588
X2 -1.11156094  0.87940111  -1.2639977
X3 -3.32312975  0.90493544  -3.6722285
表５４  ５４００Hzでの結果
5400 Hz
挿入効果
値      標準誤差      t値
X1  -4.296048437  1.76786473  -2.430077577
X2 -16.007405575  1.64239640  -9.746371538
X3 -14.827069029  1.69008511  -8.772971794
閉塞効果
値     標準誤差     t値
X1 -1.357632686  0.92688227  -1.46473044
X2 -1.085022430  0.86109989  -1.26004247
X3 -3.141020167  0.88610283  -3.54475809
表５５  ５５００Hzでの結果
5500 Hz
挿入効果
値     標準誤差      t値
X1  -4.040537444  1.7891974  -2.258296111
X2 -15.177478550  1.6622150  -9.130875559
X3 -14.401720605  1.7104792  -8.419699405
閉塞効果
値    標準誤差     t値
X1 -1.172678260  0.90954444  -1.28930287
X2 -1.124977061  0.84499255  -1.33134554
X3 -3.053792404  0.86952779  -3.51201241
表５６  ５６００Hzでの結果
5600 Hz
挿入効果
値     標準誤差     t値
X1  -3.842925160  1.8254446  -2.10519960
X2 -14.418027712  1.6958897  -8.50174849
X3 -14.202779253  1.7451316  -8.13851454
閉塞効果
値      標準誤差     t値
X1 -0.949080983  0.92183414  -1.02955721
X2 -0.951847054  0.85641002  -1.11143848
X3 -2.755459070  0.88127679  -3.12666701
表５７  ５７００Hzでの結果
5700 Hz
挿入効果
値     標準誤差     t値
X1  -3.696893582  1.8553649  -1.99254262
X2 -13.570943809  1.7236865  -7.87320879
X3 -14.186977436  1.7737356  -7.99836104
閉塞効果
値     標準誤差     t値
X1 -0.981408120  0.94246447  -1.04132108
X2 -1.137744866  0.87557619  -1.29942417
X3 -2.818453141  0.90099947  -3.12814075
表５８  ５８００Hzでの結果
5800 Hz
挿入効果
値      標準誤差     t値
X1  -3.485335327  1.9118784   -1.82299003
X2 -12.900093591  1.7761892   -7.26279241
X3 -14.302358724  1.8277627   -7.82506305
閉塞効果
値      標準誤差    t値
X1 -1.43215721  0.99833534  -1.4345452
X2 -1.30174219  0.92748180  -1.4035232
X3 -3.03832890  0.95441221  -3.1834556
表５９  ５９００Hzでの結果
5900 Hz
挿入効果
値    標準誤差     t値
X1  -3.470882999  1.9551480  -1.77525331
X2 -12.237829059  1.8163879  -6.73745358
X3 -14.656469432  1.8691286  -7.84133809
閉塞効果
値    標準誤差     t値
X1 -1.570601603  1.01546928  -1.54667564
X2 -1.143278073  0.94339973  -1.21187026
X3 -3.089089793  0.97079233  -3.18202946
表６０  ６０００Hzでの結果
6000 Hz
挿入効果
値     標準誤差     t値
X1  -3.505504506  1.9935030  -1.75846459
X2 -11.643669192  1.8520208  -6.28700782
X3 -15.008307749  1.9057962  -7.87508551
閉塞効果
値     標準誤差     t値
X1 -1.4782767934  1.03060693  -1.43437498
X2 -0.9518932129  0.95746303  -0.99418273
X3 -2.8687898427  0.98526398  -2.91169667
表６１  ６１００Hzでの結果
6100 Hz
挿入効果
値    標準誤差     t値
X1  -3.527926580  2.0085812  -1.75642715
X2 -11.026150510  1.8660288  -5.90888537
X3 -15.238089915  1.9202110  -7.93563327
閉塞効果
値     標準誤差     t値
X1 -1.581128817  1.06615246  -1.48302319
X2 -0.690258914  0.99048583  -0.69688924
X3 -2.842076531  1.01924563  -2.78841179
表６２  ６２００Hzでの結果
6200 Hz
挿入効果
値     標準誤差      t値
X1  -3.541042894  2.0249469  -1.748709011
X2 -10.499983894  1.8812330  -5.581437152
X3 -15.602866439  1.9358566  -8.059928816
閉塞効果
値     標準誤差     t値
X1 -1.560048975  1.10174868  -1.41597535
X2 -0.553851718  1.02355573  -0.54110558
X3 -2.615469069  1.05327575  -2.48317600
表６３  ６３００Hzでの結果
6300 Hz
挿入効果
値     標準誤差     t値
X1  -3.64729645  2.0274164  -1.79898731
X2  -9.92894474  1.8835273  -5.27146316
X3 -15.85389666  1.9382175  -8.17962727
閉塞効果
値     標準誤差     t値
X1 -1.38042349  1.09173705  -1.26442854
X2 -0.37261352  1.01425464  -0.36737669
X3 -2.33816761  1.04370459  -2.24025804
表６４  ６４００Hzでの結果
6400 Hz
挿入効果
値     標準誤差     t値
X1  -3.72431243  2.0226028  -1.84134638
X2  -9.47118863  1.8790553  -5.04039902
X3 -16.11724147  1.9336157  -8.33528692
閉塞効果
値      標準誤差     t値
X1 -1.391813985  1.05689378  -1.31689107
X2 -0.267321456  0.98188426  -0.27225353
X3 -2.187831043  1.01039430  -2.16532401
表６５  ６５００Hzでの結果
6500 Hz
挿入効果
値     標準誤差     t値
X1  -3.713274489  2.0281956  -1.83082665
X2  -9.044965698  1.8842511  -4.80029737
X3 -16.426047721  1.9389623  -8.47156616
閉塞効果
値     標準誤差      t値
X1 -1.731417523  1.01416531  -1.707234029
X2 -0.548784418  0.94218829  -0.582457266
X3 -2.528227998  0.96954572  -2.607641843
表６６  ６６００Hzでの結果
6600 Hz
挿入効果
値    標準誤差     t値
X1  -3.766690641  2.0267967  -1.85844519
X2  -8.678056381  1.8829516  -4.60875176
X3 -16.764044366  1.9376251  -8.65185156
閉塞効果
値     標準誤差    t値
X1 -1.98956391  0.95040501  -2.09338533
X2 -1.10722139  0.88295317  -1.25399786
X3 -2.75192688  0.90859065  -3.02878627
表６７  ６７００Hzでの結果
6700 Hz
挿入効果
値    標準誤差     t値
X1  -4.014308937  2.0434736  -1.96445358
X2  -8.397504120  1.8984448  -4.42335962
X3 -17.021841498  1.9535682  -8.71320587
閉塞効果
値      標準誤差    t値
X1 -2.407488315  0.94010973  -2.5608588
X2 -1.341366154  0.87338857  -1.5358183
X3 -2.928638691  0.89874832  -3.2585749
表６８  ６８００Hzでの結果
6800 Hz
挿入効果
値     標準誤差     t値
X1  -4.354917941  2.0694860  -2.10434760
X2  -8.141998692  1.9226111  -4.23486507
X3 -17.378004698  1.9784362  -8.78370757
閉塞効果
値    標準誤差    t値
X1 -2.500115515  0.98440958  -2.5397107
X2 -1.447595547  0.91454438  -1.5828598
X3 -2.996861320  0.94109914  -3.1844268
表６９  ６９００Hzでの結果
6900 Hz
挿入効果
値     標準誤差     t値
X1  -4.748185680  2.1060634  -2.25453122
X2  -7.861928357  1.9565925  -4.01817352
X3 -17.572263041  2.0134043  -8.72763772
閉塞効果
値    標準誤差    t値
X1 -2.943078973  1.02579595  -2.8690686
X2 -1.751442140  0.95299349  -1.8378322
X3 -3.203777402  0.98066466  -3.2669449
表７０  ７０００Hzでの結果
7000 Hz
挿入効果
値      標準誤差     t値
X1  -5.36964885  2.1060878  -2.54958453
X2  -7.62145160  1.9566152  -3.89522250
X3 -17.63774396  2.0134276  - 8.76005873
閉塞効果
値     標準誤差      t値
X1 -3.0958671835  1.09618801  -2.824211866
X2 -1.6347488389  1.01838971  -1.605229143
X3 -3.0436625264  1.04795973  -2.904369750
表７１  ７１００Hzでの結果
7100 Hz
挿入効果
値     標準誤差     t値
X1  -5.979052985  2.1484033  -2.78302176
X2  -7.409193538  1.9959275  -3.71215570
X3 -17.930145965  2.0538813  -8.72988412
閉塞効果
値     標準誤差     t値
X1 -2.93400085  1.12940070  -2.59783871
X2 -1.35279652  1.04924523  -1.28930442
X3 -2.84600351  1.07971117  -2.63589335
表７２  ７２００Hzでの結果
7200 Hz
挿入効果
値     標準誤差    t値
X1  -6.53523989  2.1790642  -2.9991039
X2  -7.29180932  2.0244124  -3.6019388
X3 -18.20102578  2.0831933  -8.7370797
閉塞効果
値     標準誤差     t値
X1 -2.854334671  1.13785077  -2.50853165
X2 -1.261150721  1.05709559  -1.19303375
X3 -2.983604193  1.08778948  -2.74281399
表７３  ７３００Hzでの結果
7300 Hz
挿入効果
値     標準誤差     t値
X1  -6.75636148  2.2050562  -3.06403143
X2  -7.08463282  2.0485597  -3.45834830
X3 -18.28648048  2.1080417  -8.67462921
閉塞効果
値    標準誤差     t値
X1 -2.82929369  1.10910247  -2.55097593
X2 -1.27314769  1.03038760  -1.23560075
X3 -3.10192981  1.06030599  -2.92550437
表７４  ７４００Hzでの結果
7400 Hz
挿入効果
値    標準誤差     t値
X1  -6.83076637  2.2407210  -3.04846800
X2  -6.91081533  2.0816933  -3.31980476
X3 -18.37488422  2.1421375  -8.57782685
閉塞効果
値    標準誤差    t値
X1 -2.49001160  1.07112286  -2.3246741
X2 -1.25209393  0.99510347  -1.2582550
X3 -2.88266037  1.02399735  -2.8151053
表７５  ７５００Hzでの結果
7500 Hz
挿入効果
値     標準誤差     t値
X1  -6.665475332  2.2928263  -2.90709996
X2  -6.678922730  2.1301006  -3.13549639
X3 -18.482033551  2.1919503  -8.43177578
閉塞効果
値     標準誤差    t値
X1 -2.14003047  1.05586865  -2.0267961
X2 -1.06587090  0.98093188  -1.0865901
X3 -2.78648541  1.00941427  -2.7604973
表７６  ７６００Hzでの結果
7600 Hz
挿入効果
値    標準誤差      t値
X1  -6.453321221  2.3169883  -2.785219570
X2  -6.517903336  2.1525478  -3.027994735
X3 -18.428207086  2.2150493  -8.319547271
閉塞効果
値     標準誤差    t値
X1 -1.81049894  1.05228996  -1.7205324
X2 -0.71468545  0.97760718  -0.7310558
X3 -2.58402589  1.00599303  -2.5686320
表７７  ７７００Hzでの結果
7700 Hz
挿入効果
値     標準誤差     t値
X1  -6.176510870  2.3478779  -2.63067809
X2  -6.290253935  2.1812450  -2.88379060
X3 -18.283821601  2.2445798  -8.14576596
閉塞効果
値    標準誤差    t値
X1 -1.48510082  1.07347198  -1.3834556
X2 -0.55147183  0.99728587  -0.5529727
X3 -2.27496805  1.02624312  -2.2167925
表７８  ７８００Hzでの結果
7800 Hz
挿入効果
値     標準誤差     t値
X1  -6.06108309  2.3716242  -2.55566757
X2  -6.19084626  2.2033061  -2.80979857
X3 -18.21570774  2.2672814  -8.03416280
閉塞効果
値     標準誤差     t値
X1 -1.413226227  1.09382747  -1.29200104
X2 -0.491633275  1.01619670  -0.48379736
X3 -2.147169312  1.04570304  -2.05332607
表７９  ７９００Hzでの結果
7900 Hz
挿入効果
値     標準誤差     t値
X1  -6.01019067  2.3741523  -2.53151017
X2  -6.17081726  2.2056547  -2.79772587
X3 -18.20382232  2.2696982  -8.02037121
閉塞効果
値     標準誤差     t値
X1 -1.116427464  1.12532100  -0.99209689
X2 -0.075233199  1.04545509  -0.07196215
X3 -2.042620033  1.07581097  -1.89867931
表８０  ８０００Hzでの結果
8000 Hz
挿入効果
値     標準誤差      t値
X1  -5.994943790  2.3595836  -2.540678681
X2  -6.231208076  2.1921200  -2.842548786
X3 -18.251784219  2.2557705  -8.091152906
閉塞効果
値     標準誤差     t値
X1 -0.919289912  1.11313021  -0.82586018
X2  0.150751742  1.03412949  0.14577647
X3 -1.869693540  1.06415653  -1.75697229
以上、好ましい態様を示し説明してきたが、この発明の精神および範囲から逸脱することなく、これらに対する各種の改良、置き換えをすることができる。従って、この発明は、説明のために記述されたものであり、それに限定されるものではない。
【図面の簡単な説明】
【００３６】
例示的な図面を示す。類似の構成要素には同一番号を付している。
【図１】図１は、補聴システムための、レシーバ、中間連結部、および音声処理部品コネクタを例示的に示す概略図である。
【図２】図２は、レシーバおよび中間連結部の断面図である。
【図３】図３は、補聴システムための、レシーバ、中間連結部、および音声処理部品コネクタの分解図である。
【図４】図４は、保持ワイヤを含む補聴システムを組み立てた状態を示す図である。
【図５】図５は、補聴システムをユーザの耳に装着した状態の断面図である。
【図６】図６は、音声処理ユニットを例示的に示す図である。
【図７】図７は、他の音声処理ユニットを例示的に示す図である。
【符号の説明】
【００３７】
１０  補聴システム
１２  レシーバ部
１４  スピーカ
１６  ケーシング
１８  連結部
２０  中間連結部
２２  コネクタ
２４  電気インターフェース
２６  コネクタシェル
２８  ロックピン
３０  電気伝導性部品
３２  補強ワイヤ
３６  近端部
３８  管路
４０、４２  ワイヤ
４４  遠端部
４６  ポート
【図１】
2006518152.tif 000007
【図２】
2006518152.tif 000008
【図３】
2006518152.tif 000009
【図４】
2006518152.tif 000010
【図５】
2006518152.tif 000011
【図６】
2006518152.tif 000012
【図７】
2006518152.tif 000013
【国際調査報告】
2006518152.tif 000014